(57)【要約】      （修正有）【課題】日差し方向が大きく変わったりしたときにも、対応できるパラソル万力。【解決手段】船等に取り付けられるベース1と、釣り用パラソルの柄を挿入して保持するホルダー2とを備えており、上記ホルダー2は、球形状に形成され、上記ベース1の凹球面受け部に回動自在に抱持される球形部と、該球形部から外方に延びる軸部とからなり、上記軸部の先端には釣り用パラソルの柄を挿入して保持する筒状の柄保持部21が設けられており、この柄保持部21が、上記ベース1の凹球面受け部の曲率中心を中心として、該ベース1の凹球面受け部の曲率中心を通る所定の基準線の全周方向に傾斜するとともに、上記基準線を中心として回動するように上記ホルダー2を上記ベース1に装着したパラソル万力において、上記ホルダー2における軸部の柄保持部21は、上記球形部の曲率中心と上記軸部の基端部の中心とを結ぶ直線に対して適宜角度で傾斜する軸方向中心線を有する。【選択図】      図１
2006187236.tif 000002
【特許請求の範囲】
【請求項１】
釣り場や釣り船等に設けられた取付部材に着脱自在に取り付けられるベースと、釣り用パラソルの柄を挿入して保持するようにしたホルダーとを備えており、上記ホルダーは、球形状に形成され、上記ベースの凹球面受け部に回動自在に抱持される球形部と、該球形部から外方に延びる軸部とからなり、上記軸部の先端には釣り用パラソルの柄を挿入して保持する筒状の柄保持部が設けられており、この柄保持部が、上記ベースの凹球面受け部の曲率中心を中心として、該ベースの凹球面受け部の曲率中心を通る所定の基準線の全周方向に傾斜するとともに、上記基準線を中心として回動するように上記ホルダーを上記ベースに装着したパラソル万力において、
上記ホルダーにおける軸部の柄保持部は、上記球形部の曲率中心と上記軸部の基端部の中心とを結ぶ直線に対して適宜角度で傾斜する軸方向中心線を有することを特徴とするパラソル万力。
【請求項２】
上記ベースは、上記基準線が斜め上方に向くように上記取付部材に取り付けられるように構成されたこと特徴とする請求項１に記載のパラソル万力。
【請求項３】
上記ホルダーは、釣り用パラソルの柄を挿入して保持する円筒状のホルダー軸と、このホルダー軸の基端に連続して一体に形成され、上記ベースの凹球面受け部に回動自在に抱持される球形状に形成された球形部とからなり、上記ホルダー軸が、上記ベースの凹球面受け部の曲率中心を中心として、上記基準線の全周方向に傾動可能、かつ、上記基準線を中心として回動可能であるとともに、上記ホルダー軸が、該ホルダー軸の基端部の中心と上記球形部の曲率中心とを結ぶ直線に対して適宜角度で傾斜するように上記球形部に斜めに折曲して連結されていることを特徴とする請求項１又は請求項２に記載のパラソル万力。
【請求項４】
上記ベースの上面に、上記ホルダー軸の外径寸法と同等以上の幅を有する切り込み部を形成したことを特徴とする請求項３に記載のパラソル万力。
【発明の詳細な説明】
【技術分野】
【０００１】
本発明は、ヘラ鮒釣りその他魚釣りを行う際、釣り人の日差しを遮るために使用する釣り用パラソルを支持するためのパラソル万力に関する。
【背景技術】
【０００２】
ヘラ鮒釣りその他の魚釣りを行う際、釣り人の日差しを遮るために釣り用パラソルが使用されることがある。その場合、パラソルを持ったままでは釣りを行うのに不便であるため、開傘した状態のパラソルを、釣り場や釣り船等に設けられた取付部材に支持できるようにしたパラソル万力が提案されている。
従来のこの種のパラソル万力は、例えば、図４に示すように、取付部材Ｍに着脱可能に取り付けられる万力５１と、この万力５１に着脱可能に装着されるベース５２と、このベース５２に装着されるホルダー５３とを備えており、そのホルダー５３の筒状に形成された先端部側にパラソルの柄を挿入して保持させる。ホルダー５３は、基端部５３ａが球形状に形成されており、その球形状基端部５３ａをベース５２に設けた半球面状の凹球面受け部５２ａに嵌装抱持させることで、球形状基端部５３ａの曲率中心Ｏを中心として全周方向に傾動することができるとともに、基端部５３ａの曲率中心Ｏを通る中心線Ｎを中心として回動することができ、これによって保持した釣り用パラソルを所望する位置に可動することができるようになっている（特開２００１−３７３９２号公報参照）。
【発明の開示】
【発明が解決しようとする課題】
【０００３】
ところで、上記パラソル万力は、ベース５２にホルダー５３の基端部５３ａを抱持させる凹球面受け部５２ａが設けられており、その凹球面受け部５２ａの開口縁の内径がホルダー５３の基端部５３ａを抜け止めできるようにホルダー５３の基端部５３ａの外径（最大径）より小さくなっているので、ベース５２の凹球面受け部５２の開口縁によってホルダー５２の傾動が規制されて大きく傾斜できないようになっている。それにも拘わらず、従来のパラソル万力は、ホルダー５３の軸方向中心線Ｌの延長線上に該ホルダー５３の曲率中心Ｏが位置させているから、ホルダー５３を傾斜させた状態でその中心線Ｎを中心として回動させても、ホルダー５３の取付部材Ｍの上面（取付面）に対する傾斜角度が変わらず、ホルダー５３は傾動による傾斜角度でしか傾斜することができない。そのため、ホルダー５３に保持される釣り用パラソルを大きく傾斜させることができないという問題があった。このように釣り用パラソルを大きく傾斜させることができないと、太陽の位置が時間とともに移動して大きく傾いても、釣り用パラソルを日差し方向に応じて大きく傾斜させることができず、釣り用パラソルによって日差しを避けることが困難であった。これを避けるため、従来のパラソル万力は、ベース５２の万力５１に対する取付形態を縦横の２種類としており、日差し方向が大きく変わり日差しを避けることができなくなると、ベース５２の万力５１に対する取付形態を変更して日差しに対応するようにさせているが、その変更作業が面倒であった。
【０００４】
そこで、本発明は、日差し方向が大きく変わったり或いは取付姿勢が縦横どちら側に取り付けたときでも、これに対応させることができるように、釣り用パラソルを保持させるホルダーを大きく傾斜させることができるパラソル万力を提供することを目的とする。
【課題を解決するための手段】
【０００５】
上記目的を達成するため、本発明は、釣り場や釣り船等に設けられた取付部材に着脱自在に取り付けられるベースと、釣り用パラソルの柄を挿入して保持するようにしたホルダーとを備えており、上記ホルダーは、球形状に形成され、上記ベースの凹球面受け部に回動自在に抱持される球形部と、該球形部から外方に延びる軸部とからなり、上記軸部の先端には釣り用パラソルの柄を挿入して保持する筒状の柄保持部が設けられており、この柄保持部が、上記ベースの凹球面受け部の曲率中心を中心として、該ベースの凹球面受け部の曲率中心を通る所定の基準線の全周方向に傾動するとともに、上記ベースの上記基準線を中心として回動するように上記ホルダーを上記ベースに装着したパラソル万力において、上記ホルダーにおける軸部の柄保持部は、上記球形部の曲率中心と上記軸部の基端部の中心とを結ぶ直線に対して適宜角度で傾斜する軸方向中心線を有するものである。
【０００６】
このような本発明のパラソル万力によれば、上記ホルダーにおける軸部の柄保持部は、上記球形部の曲率中心と上記軸部の基端部の中心とを結ぶ直線に対して適宜角度で傾斜する軸方向中心線を有するため、ホルダーを傾斜した状態でベースの基準線を中心として回動させると、ホルダーの傾斜角度が回動に伴って変化し、ホルダーを傾動による傾斜角度と、ベースの基準線を中心とする回動により生じる傾斜角度を加えた角度で傾斜させることができる。
【０００７】
また、本発明は、上記ベースは、その上記基準線が斜め上方に向くように上記取付部材に取り付けられるように構成されたものである。
【０００８】
このような本発明のパラソル万力によれば、ベースがその基準線を斜め上方に向くように取付部材に取り付けられているため、ホルダーをベースの凹球面受け部の曲率中心を中心として該ベースの上記基準線の全周方向に傾動させると、ホルダーをベースの基準線の傾斜角度を加えた角度で傾斜させることができる。
【０００９】
また、本発明は、上記ホルダーは、釣り用パラソルの柄を挿入して保持する円筒状のホルダー軸と、このホルダー軸の基端に連続して一体に形成され、上記ベースの凹球面受け部に回動自在に抱持される球形状に形成された球形部とからなり、上記ホルダー軸が、上記ベースの凹球面受け部の曲率中心を中心として、上記基準線の全周方向に傾動可能、かつ、上記基準線を中心として回動可能であるとともに、上記ホルダー軸が、該ホルダー軸の基端部の中心と上記球形部の曲率中心とを結ぶ直線に対して適宜角度で傾斜するように上記球形部に斜めに折曲して連結されたものである。
【００１０】
このような本発明のパラソル万力によれば、ホルダー軸が球形部に上記のように折り曲げられて連結されているため、ホルダー軸を傾斜させた状態でベースの基準線を中心として回動させると、ホルダー軸の傾斜角度が回動に伴って変化し、ホルダー軸を傾動による傾斜角度と、ベースの基準線を中心とする回動により生じる傾斜角度を加えた角度で傾斜させることができる。
【００１１】
更に、本発明は、上記ベースの上面に、上記ホルダーのホルダー軸の外径寸法と同等以上の幅を有する切り込み部を形成したものである。
【００１２】
このような本発明のパラソル万力によれば、ホルダーをベースの上面に倒せば、ホルダーのホルダー軸を切り込み部に嵌り込ませることができる。
【発明の効果】
【００１３】
本発明によれば、ホルダーを傾動による傾斜角度と、ベースの基準線を中心とする回動により生じる傾斜角度と、ベースの基準線の傾斜角度を加えた角度で傾斜させることができるため、ホルダーに保持される釣り用パラソルを大きく傾斜させることができる。これにより、太陽の位置が時間とともに移動して大きく傾いた場合でも、従来のように取付姿勢を変更しなくても釣り用パラソルを大きく傾斜させることができ、これによって日差しを遮って快適な状態で釣りを行うことができるとともに、万力の取付姿勢を縦横どちら側でも取り付けることができる。
【発明を実施するための最良の形態】
【００１４】
以下、本発明に係るパラソル万力の一実施形態を図面に基づいて説明する。本発明のパラソル万力は、図１乃至図３に示すように、釣り場や釣り船等に設けられた取付部材Ｍに取り付けられるベース１を有しており、このベース１の上面は、略水平方向に延びる平面部１ａと、この平面部１ａの前端から連続して平面部１ａに対して適宜角度（例えば、４５°）で下方に向けて傾斜する傾斜部１ｂとを備えている。
【００１５】
ベース１は、ベース本体１１と、ベース１の傾斜部１ｂの途中で傾斜方向に側面視逆「く」の字状に分割された抱持部材１２と、ベース本体１１と抱持部材１２を着脱可能に結合一体化させる締付具１３とを具備している。
【００１６】
ベース本体１１及び抱持部材１２は、互いの分割面の各上方部分に同じ曲率半径を有する凹部１１ａ，１２ａをそれぞれ備えており、この凹部１１ａ，１２ａによって後述するホルダー２の球形部２２を嵌装抱持できる半球面状の凹球面受け部１４をベース本体１１と抱持部材１２との間に形成している。また、ベース１は、上面にその平面部１ａから傾斜部１ｂにかけてホルダー２のホルダー軸２１の外形寸法と同等以上の幅を有する切り欠き部１５を備えている。
【００１７】
ベース本体１１は、取付部材Ｍを挿入するための下向きに開口する開口部１１ｂを有しており、この開口部１１ｂの一側部側に取付部材Ｍの挟持面１１ｃを備え、他側部側に支持片１１ｄを備えている。支持片１１ｄには、挟持面１１ｃと協働して取付部材Ｍを挟持するための挟持部材１６が設けられている。
【００１８】
挟持部材１６は、ベース本体１１の支持片１１ｄに貫通して形成されたねじ孔１１ｅに螺挿されるねじ棒１６ａと、このねじ棒１６ａの先端に回動自在に装着された挟持パッド１６ｂと、ねじ棒１６ａの後端に装着された該ねじ棒１６ａを回動操作するためのハンドル１６ｃとから構成され、ハンドル１６ｃを回動することにより、ねじ棒１６ａが軸方向に進退し、ベース本体１１の挟持面１１ｃに対して挟持パッド１６ｂを接近又は離間される。このように挟持部材１６の挟持パッド１６ｂをベース本体１１の挟持面１１ｃに対して接近又は離間させることで、ベース１を取付部材Ｍに着脱可能に取り付けられるようになっている。
【００１９】
抱持部材１２は、ベース本体１とともにホルダー２の球形部２２を抱持させるためのもので、締付具１３によりベース本体１１に結合一体化されることにより、ベース本体１１とともにホルダー６の球形部２２を抱持することができる。
【００２０】
締付具１３は、ベース本体１１と抱持部材１２を着脱可能に結合一体化させるためのもので、例えば、ベース本体１１にその上面側より挿通させたねじ棒１３ａを抱持部材１２に螺合させており、このねじ棒１３ａを締め付けることによりベース本体１１と抱持部材１２を結合一体化することができる。
【００２１】
ベース１には、上面の傾斜部１ｂに釣り用のパラソル（図示せず）を保持させるホルダー２が、取付部材Ｍの上面（取付面）に対してオフセット傾斜した状態で装着されている。このホルダー２は、パラソルの柄Ｈの下端部を挿入して保持させる筒状のホルダー軸２１と、このホルダー軸２１の基端に連続して形成される球形状に形成された球形部２２とを具備している。
【００２２】
ホルダー軸２１は、パラソルの柄Ｈの下端部が挿入できるように上端を開口しており、この上端には、パラソルの柄Ｈの抜け止め手段（図示せず）として、例えば、コレットチャック式の柄把持具が備えられている。ホルダー軸２１は、下端部２１ａが「く」の字状に折り曲げられており、ホルダー軸２１と球形部２２は「く」の字状に折れ曲った形で連結されている。これにより、ホルダー軸２１の軸方向中心線Ｌは、該ホルダー軸２１の基端部の中心Ｏ´と球形部２２の曲率中心Ｏを通る直線Ｎに対して適宜角度（例えば、４５°）で傾斜している。
【００２３】
ホルダー２の球形部２２は、ベース１おけるベース本体１１の凹部１１ａ及び抱持部材１２の凹部１２ａと同じ曲率半径に形成されており、ベース本体１１の凹部１１ａと抱持部材１２の凹部１２ａの間に挟まれた状態で締付具１３によりベース本体１１と抱持部材１２を結合一体化すると、ベース本体１１の凹部１１ａ及び抱持部材１２の凹部１２ａ、即ち、ベース１の凹球面受け部１４に嵌装抱持される。このようにホルダー２の球形部２２をベース１の凹球面受け部１４に嵌装抱持させることで、ホルダー２をベース１の凹球面受け部１４の曲率中心（ホルダー２の球形部２２の曲率中心と一致）Ｏを中心として、ベース１の凹球面受け部１４の曲率中心を通る所定の基準線Ｐの全周方向に傾動可能に、かつ、ベース２の凹球面受け部１４の基準線Ｐを中心として回動可能に装着できる。ホルダー２の球形部２２は、ベース１の締付具１３を締め付けると、ベース本体１１と抱持部材１２の間に緊結した状態で抱持され、ベース１の締付具１３を若干緩めると、ベース本体１１と抱持部材１２の間で回動可能な状態で抱持される。
【００２４】
本発明のパラソル万力は以上の通り構成されており、これを用いて釣り用パラソルを支持する場合、取付部材Ｍにベース1のベース本体１１の開口部１１ｂを嵌め込み、取付部材Ｍの一方の側面にベース本体１１の挟持面１１ｃをあてがった状態で挟持部材１６のねじ棒１６ａをハンドル１６ｃで回動させて該ねじ棒１６ａを前進させることで、ねじ棒１６ａの先端に装着された挟持パッド１６ｂを取付部材Ｍの他方の側面に圧接させて、ベース本体１１の挟持面１１ｃとの間で取付部材Ｍを挟持させてベース１を取付部材Ｍに取り付ける。次いで、ホルダー２のホルダー軸２１に釣り用パラソルの柄の下端部を挿入させ、ホルダー２のホルダー軸２１に備えられている図示しない柄把持具により釣り用パラソルの柄を把持させてホルダー２に釣り用パラソルの柄Ｈを保持させる。次いで、ベース１の締付具１３を緩めてホルダー２の球形部２２をベース１に対して回動可能な状態にさせると、ホルダー２をベース１の凹球面受け部１４の曲率中心Ｏを中心として、ベース１の凹球面受け部１４の曲率中心Ｏを通る所定の基準線Ｐの全周方向に傾動させることができるとともに、ベース１の凹球面受け部１４の曲率中心Ｏを通る基準線Ｐを中心として回動させることができるので、ホルダー２に保持された釣り用パラソルを所望する角度に調整させる。この後、ベース１の締付具１３を締め付けてホルダー２の球形部２２をベース１に緊結させることで、ホルダー２に保持されたパラソルを所望する角度で固定させる。
【００２５】
本発明のパラソル万力では、ホルダー２は、ホルダー軸２１を、その軸方向中心線Ｌが球形部２２の曲率中心Ｏと該ホルダー軸２１の基端部の中心Ｏ´とを結ぶ直線Ｎに対して適宜角度で傾斜するように球形部２２に斜めに折り曲げて連結したので、ホルダー軸２１をベース１の基準線Ｐに対して傾斜させた状態でベース１の基準線Ｐを中心として回動させると、ホルダー軸２１の傾斜角度が回動に伴って変化し、ホルダー軸２１を傾動による傾斜角度と、ベース１の凹球面受け部１４の曲率中心Ｏを通る基準線Ｐを中心とする回動により生じる傾斜角度を加えた角度で傾斜させることができるとともに、ベース１を基準線Ｐが斜め上方に向くように取付部材Ｍに取り付けられので、ホルダー２を取付部材Ｍの上面に対してオフセット傾斜した状態でベース１の凹球面受け部１４の曲率中心Ｏを通る基準線Ｐの全周方向に傾動できて該ホルダー２をベース１の凹球面受け部１４の曲率中心Ｏを通る基準線Ｐの傾斜角度を加えた角度で傾斜させることができる。従って、本発明のパラソル万力では、ホルダー２を傾動による傾斜角度と、ベース１の凹球面受け部１４の曲率中心Ｏを通る基準線Ｐを中心とする回動により生じる傾斜角度と、ベース１の凹球面受け部１４の曲率中心Ｏを通る基準線Ｐの傾斜角度を加えた角度で傾斜させることができるため、ホルダー２に保持される釣り用パラソルを大きく傾斜させることができる。
【００２６】
また、本発明のパラソル万力では、ベース１の上面にホルダー２のホルダー軸２１の外形寸法と同等以上の幅を有する切り欠き部１５を備えているので、使用後にベース１の上面にホルダー２を倒せば、ベース１の切り欠き部１５にホルダー２のホルダー軸２１が嵌り込んで収容箱等に収容し易くなる。
【００２７】
以上、本発明のパラソル万力の一実施形態について説明したが、本発明のパラソル万力はこの実施形態に限定されるものではない。例えば、上記実施形態では、ベース１は、ベース本体１１と抱持部材１２に分割するようにしているが、凹球面受け部１４にホルダー２の球形部２２を嵌装抱持することができれば、ベース本体１１と抱持部材１２を一体化することも可能である。
【００２８】
また、上記実施形態では、ベース１のベース本体１１と抱持部材１２を結合一体化する締付具１３を締め付けることで、ホルダー２の球形部２２をベース１に対して固定するようにしているが、締付具１３以外の固定手段でホルダー２の球形部２２をベース１に対して固定することも可能である。
【００２９】
また、上記実施形態では、ベース１の凹球面受け部１４とホルダー２の球形部２２の間には、ホルダー２が傾動するのを抑制する手段が備えられていないが、ベース１の凹球面受け部１４とホルダー２の球形部２２の間にホルダー２の傾動を抑制する手段を備えることも可能である。これにより、ホルダー２の球形部２２のベース１に対する固定を解除したときに、ベース１に対してホルダー２がみだりに傾動して釣り用パラソルが倒れるのを防止することができる。尚、ホルダー２の傾動を抑制するには、例えば、ベース１の凹球面受け部１４とホルダー２の球形部２２の間に表面摩擦係数の高いゴム、合成樹脂等を圧入させたり、ベース１にその凹球面受け部１４に向かって抑制部材を突出可能に設け、この抑制部材を凹球面受け部１４に嵌装抱持されるホルダー２の球形部２２の外周面にバネ等により押し付けるようにすれば良い。
【図面の簡単な説明】
【００３０】
【図１】本発明のパラソル万力の斜視図である。
【図２】本発明のパラソル万力を取付部材に取り付けた状態の側面図である。
【図３】本発明のパラソル万力の要部断面図である。
【図４】従来のパラソル万力の取付部材に取り付けた状態の側面図である。
【符号の説明】
【００３１】
１…ベース、１ａ…平面部、１ｂ…傾斜部、１１…ベース本体、１１ａ…凹部、１１ｂ…開口部、１１ｃ…挟持面、１２…抱持部材、１２ａ…凹部、１３…締付具、１４…凹球面受け部、１５…切り欠き部、１６…挟持部材、１６ａ…ねじ棒、１６ｂ…挟持パッド、２…ホルダー、２１…ホルダー軸、２１ａ…ホルダー軸の下端部、２２…球形部、Ｍ…取付部材、Ｈ…釣り用パラソルの柄、Ｏ…ベースの凹球面受け部の曲率中心及びホルダーの球形部の曲率中心、Ｏ´…ホルダー軸の基端部の中心、Ｌ…ホルダー軸の軸方向中心線、Ｎ…ホルダー軸の基端部の中心と球形部の曲率中心とを結ぶ直線
【図１】
2006187236.tif 000003
【図２】
2006187236.tif 000004
【図３】
2006187236.tif 000005
【図４】
2006187236.tif 000006